(57)【要約】【課題】透光性樹脂製折板の材料の延命を図ることができ、しかも、材料の亀裂等による漏水の原因を排除することができ、また、新設および既設の屋根のいずれにも容易に設置することができる折板屋根における透光性樹脂製折板の取付方法および構造を提供する。【解決手段】山形状のタイトフレーム２を介して金属折板３を取り付けて構成した折板屋根の適宜箇所に採光用の開口部Ｂを形成し、開口部Ｂの左右両側のタイトフレーム２の頂部に設けた金属折板固定金物４に、略への字状に形成されると共に下端部に固定手段５ａ，５ｂを設けた受金物５をハの字状に設け、上記開口部Ｂを覆うと共に外端縁部６ａが前記固定手段の手前に位置するように透光性樹脂製折板６をセットし、該透光性樹脂製折板６の上記外端縁部６ａを上記受金物５との間で挟み込むように端部挟み込み金物７を上記固定手段に取り付け固定する。【選択図】        図６
2005213910.tif 000002
【特許請求の範囲】
【請求項１】
山形状のタイトフレームを介して金属折板を取り付けて構成した折板屋根の適宜箇所に採光用の開口部を形成し、該開口部の左右両側のタイトフレームの頂部に設けた金属折板固定金物に、略への字状に形成されると共に下端部に固定手段を設けた受金物をハの字状に設け、上記開口部を覆うと共に外端縁部が前記固定手段の手前に位置するように透光性樹脂製折板をセットし、該透光性樹脂製折板の上記外端縁部を上記受金物との間で挟み込むように端部挟み込み金物を上記固定手段に取り付け固定することを特徴とする折板屋根における透光性樹脂製折板の取付方法。
【請求項２】
上記透光性樹脂製折板を上記タイトフレームに押さえ付けるように押え金物をセットすることを特徴とする請求項１に記載の折板屋根における透光性樹脂製折板の取付方法。
【請求項３】
左右のタイトフレームの頂部間に頭繋ぎ材を連結固定することを特徴とする請求項１または２に記載の折板屋根における透光性樹脂製折板の取付方法。
【請求項４】
上記金属折板と透光性樹脂製折板との間に止水パッキンを挟み込むことを特徴とする請求項１、２または３に記載の折板屋根における透光性樹脂製折板の取付方法。
【請求項５】
上記透光性樹脂製折板と接触する受金物、端部挟み込み金物あるいは押え金物の表面に、摩擦活性を良くする加工を施すことを特徴とする請求項１、２、３または４に記載の折板屋根における透光性樹脂製折板の取付方法。
【請求項６】
上記固定手段がボルトとナットにより構成されることを特徴とする請求項１、２、３、４または５に記載の折板屋根における透光性樹脂製折板の取付方法。
【請求項７】
山形状のタイトフレームを介して梁に取り付けられて折板屋根を構成する金属折板と、前記折板屋根の適宜箇所に開設された開口部の左右両側のタイトフレームの頂部に設置されて前記金属折板の開口部側端部を固定する金属折板固定金物と、略への字状に形成されて、左右の金属折板固定金物にハの字状に設けられると共に下端部に固定手段を設けた受金物と、上記開口部を覆うと共に外端縁部が前記固定手段の手前に位置するようにセットされる透光性樹脂製折板と、該透光性樹脂製折板の上記外端縁部を上記受金物との間で挟み込むように上記固定手段に取り付け固定される端部挟み込み金物から構成されることを特徴とする折板屋根における透光性樹脂製折板の取付構造。
【請求項８】
上記透光性樹脂製折板を上記タイトフレームに押さえ付けるようにセットされる押え金物から成ることを特徴とする請求項７に記載の折板屋根における透光性樹脂製折板の取付構造。
【請求項９】
左右のタイトフレームの頂部間に連結固定される頭繋ぎ材から成ることを特徴とする請求項７または８に記載の折板屋根における透光性樹脂製折板の取付構造。
【請求項１０】
上記金属折板と透光性樹脂製折板との間に挟み込まれる止水パッキンから成ることを特徴とする請求項７、８または９に記載の折板屋根における透光性樹脂製折板の取付構造。
【発明の詳細な説明】
【技術分野】
【０００１】
本発明は、太陽光を取り入れるための、折板屋根における透光性樹脂製折板の取付方法および構造に関するものである。
【背景技術】
【０００２】
従来の折板屋根における透光性樹脂製折板の取付方法および構造としては、折版屋根板の一部に形成した採光用開口部を透光性樹脂よりなる略同形の折板状の明り採り部材（透光性樹脂）により覆い、その頂部の傾斜側面部分を貫通してボルト等の留め具を通し、上記折版屋根板にナット等で固着するものがあった。（例えば、特許文献１参照）
また従来、タイトフレームの頂部に設けたハゼ部に、金属製折版屋根材の端縁部を係合せしめ、この係合端縁部にポリカーボネート製折版屋根材の端縁部を被せるようにして接続し、この接続部に金属製キャップを被せて挟圧し、ここにシールパッキンを介在させたものがあった。（例えば、特許文献２参照）
【０００３】
しかし、上記特許文献１の従来技術は、明り採り部材（透光性樹脂）に穴を明けて固着するため、その穴断面に生じる微妙な傷より樹脂の経年劣化の進行を早めて強度低下を招いたり、また、樹脂製の明り採り部材の端縁部を金属製の折版屋根板に固着するので、熱膨張による伸縮率の差から両材料が擦れ合い、その結果、亀裂が発生して漏水の原因となる等の問題があった。
さらに、上記特許文献２の従来技術も、金属製折版屋根材と樹脂製折版屋根材の端縁部同士が挟圧状態で接続されるため、熱膨張による伸縮率の差から両材料が擦れ合い、その結果、樹脂製の明り取り部材の方が傷付き、そこから亀裂が発生して漏水の原因となる等の問題があった。
【特許文献１】実公昭６１−１３６１７号公報
【特許文献２】特許第３３７３３８０号公報
【発明の開示】
【発明が解決しようとする課題】
【０００４】
本発明の解決しようとする課題は、透光性樹脂製折板の材料の延命を図ることができ、しかも、材料の亀裂等による漏水の原因を排除することができ、また、新設および既設の屋根のいずれにも容易に設置することができる折板屋根における透光性樹脂製折板の取付方法および構造を提供することにある。
【課題を解決するための手段】
【０００５】
本発明の折板屋根における透光性樹脂製折板の取付方法は、山形状のタイトフレームを介して金属折板を取り付けて構成した折板屋根の適宜箇所に採光用の開口部を形成し、該開口部の左右両側のタイトフレームの頂部に設けた金属折板固定金物に、略への字状に形成されると共に下端部に固定手段を設けた受金物をハの字状に設け、上記開口部を覆うと共に外端縁部が前記固定手段の手前に位置するように透光性樹脂製折板をセットし、該透光性樹脂製折板の上記外端縁部を上記受金物との間で挟み込むように端部挟み込み金物を上記固定手段に取り付け固定することを特徴とする。また、上記透光性樹脂製折板を上記タイトフレームに押さえ付けるように押え金物をセットすることを特徴とする。さらに、左右のタイトフレームの頂部間に頭繋ぎ材を連結固定することを特徴とする。又更に、上記金属折板と透光性樹脂製折板との間に止水パッキンを挟み込むことを特徴とする。更にまた、上記透光性樹脂製折板と接触する受金物、端部挟み込み金物あるいは押え金物の表面に、摩擦活性を良くする加工を施すことを特徴とするものである。上記固定手段がボルトとナットにより構成されることも特徴とするものである。
【０００６】
本発明の折板屋根における透光性樹脂製折板の取付構造は、山形状のタイトフレームを介して梁に取り付けられて折板屋根を構成する金属折板と、前記折板屋根の適宜箇所に開設された開口部の左右両側のタイトフレームの頂部に設置されて前記金属折板の開口部側端部を固定する金属折板固定金物と、略への字状に形成されて、左右の金属折板固定金物にハの字状に設けられると共に下端部に固定手段を設けた受金物と、上記開口部を覆うと共に外端縁部が前記固定手段の手前に位置するようにセットされる透光性樹脂製折板と、該透光性樹脂製折板の上記外端縁部を上記受金物との間で挟み込むように上記固定手段に取り付け固定される端部挟み込み金物から構成されることを特徴とする。また、上記透光性樹脂製折板を上記タイトフレームに押さえ付けるようにセットされる押え金物から成ることを特徴とする。さらに、左右のタイトフレームの頂部間に連結固定される頭繋ぎ材から成ることを特徴とする。又更に、上記金属折板と透光性樹脂製折板との間に挟み込まれる止水パッキンから成ることを特徴とするものである。
【発明の効果】
【０００７】
本発明の折板屋根における透光性樹脂製折板の取付方法および構造は、下記のような利点がある。
１）透光性樹脂製折板に対して現場や工場での穴明けを必要としない、また固着による拘束をしない取り付け方法および構造なので、材料の延命を図り、漏水の原因を排除することができる。
２）経年劣化するシーリングを一切使用しないので、シーリングの打ち替えのメンテナンスを一切必要としない。
３）台風時でも透光性樹脂製折板の爆風破断の懸念がない。
４）タイトフレームのある折板形状の屋根であれば、全て応用が可能である。
５）新設の場合だけでなく、既存建物の改修の場合などにおいても、どこでも明かり取りの欲しい所に設置が可能である。
６）ノンシールおよびノンビスの構造なので、スパナ１本で透光性樹脂製折板の取替を容易に行うことができる。
【発明を実施するための最良の形態】
【０００８】
図１ないし図６は、本発明の折板屋根における透光性樹脂製折板の取付方法の一実施例を示す説明図であって、１は梁、２はタイトフレーム、３は金属折板、４は金属折板固定金物（通常、吊子金物とも称される）、５は受金物、６は透光性樹脂製折板、７は端部挟み込み金物、８は押え金物、９は頭繋ぎ材および１０は止水パッキンである。
【０００９】
図１において、上記金属折板３は、山形状のタイトフレーム２を介して梁１に取り付けられている。この金属折板３から成る折板屋根の適宜箇所には、採光用の開口部Ｂが形成されている。さらに詳細には、両側のタイトフレーム２の頂部間に開口部Ｂを形成するように、左右の金属折板３の開口部側端部３ａが、それぞれタイトフレーム３の頂部の金属折板固定金物４により挟み込まれ取り付け固定されている。
【００１０】
図２に示すように、左右のタイトフレーム２の金属折板固定金物４には、略への字状の受金物５の上端部が取り付け固定されている。左右の受金物５は、それぞれ上記開口部Ｂの両側の金属折板３の表面に沿って下り、その下端部には突設ボルト５ａが外方に向けて植設されている。
【００１１】
次に、図３に示すように、透光性樹脂製折板６を上記開口部Ｂを覆うようにセットする。この際、該透光性樹脂製折板６の外端縁部６ａが、上記突設ボルト５ａの手前に位置するように形成およびセットされる。上記透光性樹脂製折板６は、ポリカーボネート、ＦＲＰなどの樹脂を素材とし、例えば、三菱エンジニアリングプラスチックス株式会社製の商品名「ユーピロン・サンガード折版」などを使用する。なお、突設ボルト５ａには上記透光性樹脂製折板６より厚いワッシャ等を入れておく。
【００１２】
続いて、図４に示すように、上記透光性樹脂製折板６の外端縁部６ａを上から挟むように、端部挟み込み金物７を上記受金物５の突設ボルト５ａに固定して、透光性樹脂製折板６の外端縁部６ａが風などによりバタツクのを防止する。この時、上記透光性樹脂製折板６は、受金物５と突設ボルト５ａおよび端部挟み込み金物７との間に囲い込まれているだけで固着されてはいない。
【００１３】
さらに、図５に示すように、上記透光性樹脂製折板６の上面形状にほぼ沿うような断面形状を有する押え金物８を上からセットして、その両端部８ａに開けた穴（図示せず）に上記ボルト５ａを通して、ナット５ｂにより締め付け固定する。
【００１４】
最後に、図６に示すように、左右のタイトフレーム２の頂部の間に、開口部Ｂの幅を跨ぐように頭繋ぎ材９を連結固定して、上記透光性樹脂製折板６が強風などで変形するのを防止する。この頭繋ぎ材９は、適当な方法（例えば、上記押え金物８に植設したボルトを介してナットで締め付けたり、頭繋ぎ材９の両端を押え金物８に沿うように延ばし、その端部を上記ボルト５ａおよびナット５ｂにより締め付け固定したり、溶接やボンド接合など）により、押え金物８に取り付け固定する。
【００１５】
なお、上記金属製折板３と上記透光性樹脂製折板６との間に止水パッキン１０を挟み込むことにより、特に暴風雨時の雨漏り防止をより完璧にすることができる。止水パッキン１０は、例えば断面１０×２０ｍｍ程度の細長いスポンジを透光性樹脂製折板の外端縁部の金属折板側に貼り付けておくのが好ましい。また、上記透光性樹脂製折板６と接触する受金物５や端部挟み込み金物７や押え金物８の表面を、例えばフッ素樹脂焼付塗装などの摩擦活性を良くする加工を施す。
【００１６】
上記実施例では、突設ボルト５ａとナット５ｂから成る固定手段により端部挟み込み金物７を固定するように構成したが、本発明の固定手段はこれに限定するものではなく、透光性樹脂製折板６の外端縁部６ａを金属折板３との間で挟み付けるように、上記端部挟み込み金物７を取り付け固定する構成であればいずれでもよい。
【００１７】
上記実施例の透光性樹脂製折板の取付構造について、板厚２ｍｍの透光性樹脂製折板について、屋根を持ち上げる方向に荷重を加えてその変位を測定する耐風試験を行ったところ、図７に示すように、２００Ｋｇ／ｍ２の台風時の荷重をはるかに越えた３４０Ｋｇ／ｍ２で破壊したので、十分な耐風構造を有することが確認された。
また、気象庁で観測された最大雨量３５ｍｍ／１０分間の雨水を風速２０ｍ／ｓ相当で屋根からホームに吹き込む方向に吹き込ませて漏水実験を止水パッキン無しで行ったところ、図８に示すように、透光性樹脂製折板の高さ９０ｍｍのうち雨水の浸入は下端から４５ｍｍの高さまでで留まった。この結果は、止水パッキン無しでも十分な耐漏水性能を示すものと判定される。
【産業上の利用可能性】
【００１８】
本発明の折板屋根における透光性樹脂製折板の取付方法および構造は、下記の用途にも適用できる。
１）台風時などに上下より風圧を受ける施設の屋根（屋外の開放的な施設、例えば、駅、工場、アーケードなどの上屋）。
２）メンテナンスが行き届かない施設や困難な施設の屋根（駅、工場、アーケードなど）。
３）既存建物の改修工事などで、既に出来ている建物への明かり取りの取替や増設、追加新設などを必要とする屋根。
４）新設後に、明かり取りの取替や増設などを必要とする施設の屋根。
【図面の簡単な説明】
【００１９】
【図１】本発明方法の一実施例の第一のステップを示す説明図である。
【図２】図１に続く第２のステップを示す説明図である。
【図３】図２に続く第３のステップを示す説明図である。
【図４】図３に続く第４のステップを示す説明図である。
【図５】図４に続く第５のステップを示す説明図である。
【図６】図５に続く第６のステップを示す説明図である。
【図７】強風時における透光性樹脂製折板の変形量を示すグラフである。
【図８】漏水試験の説明図である。
【符号の説明】
【００２０】
１    梁
２    タイトフレーム
３    金属折板
３ａ  開口部側端部
４    金属折板固定金物
５    受金物
５ａ  ボルト
５ｂ  ナット
６    透光性樹脂製折板
６ａ  外端縁部
７    端部挟み込み金物
８    押え金物
９    頭繋ぎ材
１０  止水パッキン
Ｂ    開口部
【図１】
2005213910.tif 000003
【図２】
2005213910.tif 000004
【図３】
2005213910.tif 000005
【図４】
2005213910.tif 000006
【図５】
2005213910.tif 000007
【図６】
2005213910.tif 000008
【図７】
2005213910.tif 000009
【図８】
2005213910.tif 000010